(57)【要約】【課題】どのような状態の光ディスクに対しても制御特性及び信号レベルを最適に自動調整して再生が行なえるようにする。【解決手段】光ディスク２の再生開始前に、記録面２ａを同心円状に分割して設定した複数の分割領域それぞれの光ピックアップ９の出力信号に基づき、各分割領域毎に制御特性及び信号ゲインの調整値を求めて保持し、光ディスク２の再生の実行中に、光ピックアップ９のアクセス位置の各分割領域への移動により、制御特性及び信号ゲインを各分割領域それぞれの調整値にしたがって調整する。【選択図】図１
2008004183.tif 000002
【特許請求の範囲】
【請求項１】
光ディスクの再生開始前に光ピックアップを移動して前記光ディスクの記録面をアクセスし、該アクセスに基づく前記光ピックアップの出力信号により前記光ピックアップの制御特性を含む再生の制御特性及び信号ゲインを調整し、前記光ディスクの再生を、前記光ディスクに応じて調整した前記制御特性及び信号ゲインで行なうディスク装置の自動調整方法において、前記光ディスクの再生開始前に、前記記録面を同心円状に分割して設定した複数の分割領域それぞれの前記光ピックアップの出力信号に基づき、前記各分割領域毎に前記制御特性及び信号ゲインの調整値を求めて保持し、前記光ディスクの再生の実行中に、前記光ピックアップのアクセス位置の前記各分割領域への移動により、前記制御特性及び信号ゲインを前記各分割領域それぞれの前記調整値にしたがって調整することを特徴とするディスク装置の自動調整方法。
【請求項２】
光ディスクの再生開始前に光ピックアップを移動して前記光ディスクの記録面をアクセスし、該アクセスに基づく前記光ピックアップの出力信号により前記光ピックアップの制御特性を含む再生の制御特性及び信号ゲインを調整し、前記光ディスクの再生を、前記光ディスクに応じて調整した前記制御特性及び信号ゲインで行なうディスク装置の自動調整方法において、前記制御特性及び信号ゲインのマルチキャリブレーションの調整が選択されたときにのみ、前記光ディスクの再生開始前に、前記記録面を同心円状に分割して設定した複数の分割領域それぞれの前記光ピックアップの出力信号に基づき、前記各分割領域毎に前記制御特性及び信号ゲインの調整値を求めて保持し、前記光ディスクの再生の実行中に、前記光ピックアップのアクセス位置の前記各分割領域への移動により、前記制御特性及び信号ゲインを前記各分割領域それぞれの前記調整値にしたがって調整することを特徴とするディスク装置の自動調整方法。
【請求項３】
調整条件の設定により、前記各分割領域の個数を変更自在に指定された個数に設定することを特徴とする請求項１又は２に記載のディスク装置の自動調整方法。
【請求項４】
調整条件の設定により、前記各分割領域の前記光ピックアップの調整のアクセス位置を変更自在に指定された位置に設定することを特徴とする請求項１乃至３の何れか１つに記載のディスク装置の自動調整方法。
【請求項５】
光ディスクの再生開始前に光ピックアップを移動して前記光ディスクの記録面をアクセスし、該アクセスに基づく前記光ピックアップの出力信号により前記光ピックアップの制御特性を含む再生の制御特性及び信号ゲインを調整し、前記光ディスクの再生を、前記光ディスクに応じて調整した前記制御特性及び信号ゲインで行なうディスク装置の自動調整装置において、前記光ディスクの再生開始前に、前記記録面を同心円状に分割して設定した複数の分割領域それぞれの前記光ピックアップの出力信号に基づき、前記各分割領域毎に前記制御特性及び信号ゲインの調整値を求める調整値検出手段と、前記各分割領域の前記制御特性及び信号ゲインの調整値を保持する不揮発性の記憶手段と、前記光ディスクの再生の実行中に、前記光ピックアップの前記記録面のアクセス位置の前記各分割領域への移動を検出する領域アクセス検出手段と、該領域アクセス検出手段の検出に基づき前記各分割領域の再生の実行中の前記制御特性及び信号ゲインを前記各分割領域それぞれの前記調整値にしたがって調整する調整実行手段とを備えたことを特徴とするディスク装置の自動調整装置。
【発明の詳細な説明】
【技術分野】
【０００１】
本発明は、再生する光ディスクのディスク読み込みより得られた光ピックアップの出力に基づいて、光ピックアップの制御特性を含む装置内の再生の各種の制御特性及び信号ゲインを光ディスクに応じて自動調整するディスク装置の自動調整方法及び自動調整装置に関する。
【背景技術】
【０００２】
従来、映像や音声の情報が記録される光ディスクには、再生専用のＤＶＤ（ＤＶＤ−ＲＯＭ）やCD、記録再生可能なＤＶＤ（ＤＶＤ−Ｒ等）やＣＤ（ＣＤ−Ｒ等）がある。
【０００３】
そして、これらの光ディスクは、いわゆる家電機器あるいはＡＶ機器である、ＤＶＤプレーヤ、ＣＤプレーヤのようなディスク再生装置、ＤＶＤレコーダ、ＣＤレコーダのようなディスク記録再生装置、更には、これらの装置とＶＴＲとを組合わせた複合型のディスク装置、或いは、それらをテレビに内蔵したテレビ一体型のディスク装置等の種々のディスク装置によって再生される。
【０００４】
ところで、この種のディスク装置においては、再生する光ディスクの記録面の状態や面揺れの程度等のディスク状態、光ピックアップ（光ヘッド）等の光学特性や信号処理特性の装置間のばらつき、経年変化等によらず、光ディスクの安定した再生を行なうため、再生前のディスク読み込み（ディスク起動）毎に、光ディスクを回転するスピンドルモータ（ディスクモータ）、光ピックアップを移動するスレッドモータのサーボ制御のゲイン、光ピックアップのフォーカス制御、トラッキング制御のエラー検出ゲインやオフセットのような装置内の各種制御特性及び、ＲＦ信号の信号ゲイン等の装置内の各種の信号ゲインを、再生する光ディスクに応じて自動的に調整することが行なわれる（例えば、特許文献１参照。）。
【０００５】
この従来のディスク装置の自動調整を詳述すると、前記特許文献１に記載の光ピックアップのフォーカス制御、トラッキング制御の自動調整の場合、前記ディスク読み込み時、光ピックアップをターンテーブルに載置されて回転している光ディスクの半径方向に、内側の端から外側の端まで又はその逆に移動し、この間に得られるフォーカスエラー信号、トラッキングエラー信号それぞれの最大値と最小値の平均値が、それらの信号のデジタル変換用のＡＤコンバータのダイナミックレンジの略中央値になるように、フォーカスエラー信号、トラッキングエラー信号のゲイン・オフセットを調整して設定する。換言すれば、光ディスクの記録面全体のエラー信号レベルが前記ダイナミックレンジの一定範囲内に収まるようなサーボ制御のゲイン・オフセットの値（調整値）が求められて設定され、それらの制御特性が光ディスクの状態に応じて自動調整される。
【０００６】
なお、前記スピンドルモータ等の装置内の再生に関連する機器や機構等のサーボ制御についても、同様にして制御ゲインやオフセットの調整値が求められて設定され、それらの制御特性が光ディスクの状態に応じて自動調整される。
【０００７】
同様にして、光ピックアップのＲＦ信号等の再生の信号ゲインも光ディスクの状態に応じて自動調整される。
【０００８】
そして、この制御特性及び信号ゲインの自動調整が終了すると、調整された制御特性及び信号ゲインで光ディスクの再生が行なわれる。
【０００９】
なお、この自動調整を迅速に終了する場合は、例えば光ピックアップの移動を光ディスクの記録面の内側又は外側の端から途中までに制限し、その間に得られたエラー信号等に基づいて前記制御特性及び信号ゲインの調整が行なわれる。
【特許文献１】特開平６−１７６３７１号公報（要約書、段落［００１９］−［００３０］、図１、図３等）
【発明の開示】
【発明が解決しようとする課題】
【００１０】
前記従来のこの種のディスク装置の自動調整の場合、ディスク読み込み時（ディスク起動時）に、装置内の再生に関連する各種の制御特性及び信号ゲインにつき、光ディスクの記録面の１個所の状態からそれぞれ１つの調整値が決定されて設定される。
【００１１】
一方、再生する光ディスクの記録面の状態は汚れや傷、面揺れの程度等に基づき、実際には記録面の位置（部分）によって異なり、又、記録信号状態も記録面全体について一定（一様）であるとは限らない。
【００１２】
したがって、前記従来の自動調整では、例えば、再生する光ディスクの記録面の一部の状態や信号記録が他の部分より極端に劣化している場合や、同光ディスクの内周部と外周部とで記録面の状態や記録信号に極端な差がある場合等には、記録面全体の再生の各制御特性及び信号ゲインを、それぞれについての前記１つの調整値に基づいて自動調整することにより、例えば、記録面や記録信号の状態が良好な部分の再生の特性が却って劣化する問題がある。
【００１３】
本発明は、どのような状態の光ディスクに対しても制御特性及び信号レベルを最適に自動調整して再生が行なえるようにすることを目的とする。
【課題を解決するための手段】
【００１４】
上記の目的を達成するために、本発明のディスク装置の自動調整方法は、光ディスクの再生開始前に光ピックアップを移動して前記光ディスクの記録面をアクセスし、該アクセスに基づく前記光ピックアップの出力信号により前記光ピックアップの制御特性を含む再生の制御特性及び信号ゲインを調整し、前記光ディスクの再生を、前記光ディスクに応じて調整した前記制御特性及び信号ゲインで行なうディスク装置の自動調整方法において、前記光ディスクの再生開始前に、前記記録面を同心円状に分割して設定した複数の分割領域それぞれの前記光ピックアップの出力信号に基づき、前記各分割領域毎に前記制御特性及び信号ゲインの調整値を求めて保持し、前記光ディスクの再生の実行中に、前記光ピックアップのアクセス位置の前記各分割領域への移動により、前記制御特性及び信号ゲインを前記各分割領域それぞれの前記調整値にしたがって調整することを特徴としている（請求項１）。
【００１５】
また、本発明のディスク装置の自動調整方法は、光ディスクの再生開始前に光ピックアップを移動して前記光ディスクの記録面をアクセスし、該アクセスに基づく前記光ピックアップの出力信号により前記光ピックアップの制御特性を含む再生の制御特性及び信号ゲインを調整し、前記光ディスクの再生を、前記光ディスクに応じて調整した前記制御特性及び信号ゲインで行なうディスク装置の自動調整方法において、前記制御特性及び信号ゲインのマルチキャリブレーションの調整が選択されたときにのみ、前記光ディスクの再生開始前に、前記記録面を同心円状に分割して設定した複数の分割領域それぞれの前記光ピックアップの出力信号に基づき、前記各分割領域毎に前記制御特性及び信号ゲインの調整値を求めて保持し、前記光ディスクの再生の実行中に、前記光ピックアップのアクセス位置の前記各分割領域への移動により、前記制御特性及び信号ゲインを前記各分割領域それぞれの前記調整値にしたがって調整することを特徴としている（請求項２）。
【００１６】
そして、請求項１又は２に係る請求項３のディスク装置の自動調整方法のように、調整条件の設定により、前記各分割領域の個数を変更自在に指定された個数に設定することが望ましく（請求項３）、請求項１乃至３の何れかに係る請求項４のディスク装置の自動調整方法のように、調整条件の設定により、前記各分割領域の前記光ピックアップの調整のアクセス位置を変更自在に指定された位置に設定することも好ましい（請求項４）。
【００１７】
つぎに、本発明のディスク装置の自動調整装置は、光ディスクの再生開始前に光ピックアップを移動して前記光ディスクの記録面をアクセスし、該アクセスに基づく前記光ピックアップの出力信号により前記光ピックアップの制御特性を含む再生の制御特性及び信号ゲインを調整し、前記光ディスクの再生を、前記光ディスクに応じて調整した前記制御特性及び信号ゲインで行なうディスク装置の自動調整装置において、前記光ディスクの再生開始前に、前記記録面を同心円状に分割して設定した複数の分割領域それぞれの前記光ピックアップの出力信号に基づき、前記各分割領域毎に前記制御特性及び信号ゲインの調整値を求める調整値検出手段と、前記各分割領域の前記制御特性及び信号ゲインの調整値を保持する不揮発性の記憶手段と、前記光ディスクの再生の実行中に、前記光ピックアップの前記記録面のアクセス位置の前記各分割領域への移動を検出する領域アクセス検出手段と、該領域アクセス検出手段の検出に基づき前記各分割領域の再生の実行中の前記制御特性及び信号ゲインを前記各分割領域それぞれの前記調整値にしたがって調整する調整実行手段とを備えたことを特徴としている（請求項５）。
【発明の効果】
【００１８】
請求項１、５の発明によれば、光ディスクの再生開始前に、光ピックアップを移動して光ディスクの記録面をアクセスし、光ディスクの記録面を同心円状に分割して設定した複数の分割領域それぞれの光ピックアップの出力信号に基づき、各分割領域毎サーボ制御特性及び信号ゲインの調整値を求めて保持することができる。
【００１９】
そして、光ディスクの再生の実行中は、光ピックアップの記録面へのアクセス位置が各分割領域それぞれに移動することにより、各分割領域それぞれの調整値にしたがって自動調整された制御特性及び信号ゲインで再生が行われる。
【００２０】
この場合、再生する光ディスクの記録面の分割領域毎に、それぞれの状態や信号記録の特性等に応じて制御特性及び信号ゲインが自動調整されるため、光ディスクの記録面の一部の状態や信号記録が他の部分より極端に劣化している場合や、光ディスクの内周部と外周部とで記録面の状態や信号記録に極端な差がある場合等に、記録面や記録信号の状態が良好な部分の再生の特性を損なうことがなく、極力最良の制御特性及び信号ゲインで光ディスクの再生を行うことができる。
【００２１】
又、請求項２の発明によれば、マルチキャリブレーションの調整が選択されてその調整に設定されているときにのみ、前記請求項１、５の発明の各分割領域毎の自動調整（本発明の自動調整）が行われ、ユーザの選択によって、必要なときにのみ本発明の自動調整を実施することができる。
【００２２】
つぎに、請求項３の発明によれば、各分割領域の個数を変更自在に設定することができる。又、請求項４の発明によれば、各分割領域における光ピックアップの調整のアクセス位置を変更自在に設定することができる。
【発明を実施するための最良の形態】
【００２３】
次に、本発明をより詳細に説明するため、その１実施形態について、図１〜図６にしたがって詳述する。
【００２４】
図１は本発明が適用されるディスク装置１の概略のブロック図、図２は再生する光ディスク２の記録面２ａの３分割領域α、β、γの説明図、図３はディスク装置１のディスク再生時の動作説明用のフローチャート、図４は図３のディスク再生処理の詳細なフローチャートである。
【００２５】
図５は本発明のマルチキャリブレーションを選択・設定する画面の一例の説明図、図６は本発明のマルチキャリブレーションを選択・設定する画面の他の例の説明図である。
【００２６】
［基本構成の説明］
まず、図１に示すディスク装置１の基本的な構成及び動作を、その再生の処理と共に説明する。
【００２７】
ディスク装置１は光ディスクの少なくとも再生機能を有し、例えば市販の記録済みＤＶＤ−ＲＯＭやＣＤの光ディスク２を再生する場合、光ディスク２が、その記録面２ａを下面にしてディスクトレイ（図示せず）に載置される。
【００２８】
この状態でディスク装置１の取り込み／取り出しの操作釦（図示せず）が押されると、周知のディスクトレイ引き込み動作により、光ディスク２はスピンドルモータ（ディスクモータ）３によって回転するターンテーブル４の上面に移って再生ローディングされる。    なお、スピンドルモータ３は、サーボ制御部５のモータ制御部６がスピンドルモータ駆動部７からスピンドルモータ３に供給する駆動電流をフィードバック制御することにより、回転数がサーボ制御される。
【００２９】
そして、ローディングされた光ディスク２はターンテーブル４とその上部の回転自在のディスククランパ８とによって中心部が上下方向から挟まれた状態で回転する。
【００３０】
一方、光ディスク２の下面側に設けられた光ピックアップ９は、スレッドモータ１０の回転により光ディスク２の記録面２ａを半径方向に横切るように紙面左右方向（装置前後方向）に移動する。この移動はサーボ制御部５のモータ制御部６がスレッドモータ駆動部１１からスレッドモータ１０に供給する駆動電流の極性、大きさをフィードバック制御することにより、光ピックアップ９のディスクアクセス位置の移動指令にしたがってサーボ制御される。
【００３１】
又、光ピックアップ９は、サーボ制御部５のピックアップ制御部１２により、２方向のアクチュエータを駆動してフォーカシングとトラッキングがサーボ制御される。
【００３２】
次に、光ピックアップ９は、再生時、光ディスク２の記録面２ａを半径方向に横切るように移動し、その間に記録面２ａに向けて（上方に向けて）情報読出しのレーザ光を照射し、その反射光を受光して記録面２ａに記録された信号を再生して信号処理部１３に送る。なお、記録機能がある場合、記録時には信号処理部１３から光ピックアップ９に記録する信号が送られ、光ピックアップ９が再生時より強いレーザ光を光ディスク２に照射して記録が行なわれる。
【００３３】
更に、再生時及び記録時において、光ディスク２の記録面２ａの反射光に基づく光ピックアップ９の出力信号は、信号処理部１３によりフイルタ処理等が施されて、映像や音声の例えば８／１６変調波のＲＦ信号及び、フォーカスエラー信号（以下、ＦＥ信号という）、トラッキングエラー信号（以下、ＴＥ信号という）に分離され、これらの信号が制御処理部１４のＲＦ信号処理部１５、フォーカスエラー検出部１６、トラッキングエラー検出部１７それぞれに入力される。
【００３４】
そして、ＲＦ信号処理部１５はＲＦ信号の変復調機能等を有し、再生時はＲＦ信号を映像や音声のベースバンドのデジタル信号に復調して後段の映像・音声入出力部１８に送り、記録時は映像・音声入出力部１８から入力された映像や音声のベースバンドのデジタル信号をＲＦ信号に変調して信号処理部１３に送る。
【００３５】
又、ＲＦ信号処理部１５のＲＦ信号は、ディスク回転やディスクピックアップ位置（アクセス位置）の目標値の信号、信号処理部１３からのピックアップ位置の検出信号等と共に制御処理部１４からモータ制御部６に送られる。
【００３６】
そして、モータ制御部６は、ディスク回転の目標値及びＲＦ信号のレベル変化に基づいてスピンドルモータ３をサーボ制御し、ディスクピックアップ位置の目標値の信号、検出信号等に基づいてスレッドモータ１０をサーボ制御する。
【００３７】
このようにして光ディスク２から再生された映像や音声のデジタル信号は、そのまま又はアナログ信号に変換して、映像・音声入出力部１８からディスク装置１に接続されたテレビ受信装置等の画面表示、音声出力の機能を備えた後段接続装置に供給され、再生された映像の画面表示や音声出力が行なわれる。
【００３８】
［本発明の構成の説明］
次に、ディスク装置１の本発明に係る構成及び動作を説明する。
【００３９】
まず、本発明のマルチキャリブレーションの調整対象となる制御信号は、前記のフォーカスエラー信号、トラッキングエラー信号、ＲＦ信号に限られるものではなく、その他、光ピックアップ９のミラー信号、ＰＩ信号等の装置内の再生に関連する各種信号であってよいが、本実施形態においては、説明を簡略化するために、調整対象をフォーカスエラー信号、トラッキングエラー信号及びＲＦ信号とする。
【００４０】
又、本実施形態の場合、マルチキャリブレーションの初期設定により、再生する光ディスク２の記録面２ａの最内周から最外周までの全域を図２に示すように同心円状に３分割し、内周の分割領域α、中周の分割領域β、外周の分割領域γの３領域で制御特性及び信号ゲインの調整（キャリブレーション）を行う。
【００４１】
なお、分割領域α、β、γは、例えば、ＺＣＬＶの線速度が変わる領域に合わせて設定され、前記線速度が、標準速度に対して、×１．２倍速（分割領域α）、×１．５倍速（分割領域β）、×２．０倍速（分割領域γ）になる領域である。
【００４２】
そして、制御処理部１４に検出部１６、１７のエラー信号オフセットゲイン（制御特性）及びＲＦ信号処理部１５の信号ゲインを調整する調整制御部１９が設けられ、制御処理部１４にフラッシュメモリ等からなる不揮発性の外部メモリ２０が外付けされる。なお、外部メモリ２０が各分割領域α、β、γの制御特性及び信号ゲインの調整値を保持する本発明の不揮発性の記憶手段を形成する。
【００４３】
そして、後述のキャリブレーションモードの選択・設定により、マルチキャリブレーションに設定されていると、光ディスク２が再生ローディングされたときに、調整制御部１９が外部メモリ２０に予め設定されている図３のステップＳ１〜Ｓ１９のマルチキャリブレーションの調整処理を実行し、調整値検出手段及び領域アクセス検出手段、調整実行手段を形成する。
【００４４】
ステップＳ１〜Ｓ１８は調整値検出手段が実行するディスク再生前の処理であり、分割領域α、β、γそれぞれの光ピックアップ９の出力信号に基づき、各分割領域α、β、γ毎に制御特性及び信号ゲインの調整値を求める。
【００４５】
又、ステップＳ１９は領域アクセス検出手段、調整実行手段が実行するディスク再生中の処理である。そして、領域アクセス検出手段は光ディスク２の再生の実行中に、光ピックアップ９の記録面２ａのアクセス位置の各分割領域α、β、γへの移動を検出する。調整実行手段は領域アクセス検出手段の検出に基づき各分割領域α、β、γの再生の実行中の制御特性及び信号ゲインを各分割領域α、β、γそれぞれの調整値にしたがって調整するする。なお、ステップＳ１９の再生中の処理は、具体的には図４のステップＱ１〜Ｑ１４の処理からなる。
【００４６】
そして、調整制御部１９は、光ディスク２の記録面２ａの光ピックアップ９による検査が開始されて光ピックアップ９が光ディスクの内周トラックに位置してディスク読み込み状態になったことを認識すると、図３のステップＳ１からステップＳ２に移行し、ディスクサイズやＲＦ信号の周波数等から光ディスク２の種類等を検出して認識する。
【００４７】
更に、ステップＳ３に移行し、ローディング中の光ディスク２について、外部メモリ２０に書き換え自在に保持された調整条件の分割領域の個数及び、認識した光ディスク２の種類等から、記録面２ａの例えば図２の３分割領域α、β、γを確認する。
【００４８】
次に、調整制御部１９が調整値検出手段を形成し、この調整値検出手段はステップＳ４〜Ｓ１７を実行して各分割領域α、β、γ毎に制御特性及び信号ゲインの調整値を求める。
【００４９】
ところで、ディスク再生前のこれらの段階においてはＺＣＬＶの制御がかからず、光ディスク２からアドレス情報等を取得することができないため、光ピックアップ９の移動は、予め移動距離に応じて設定された時間分だけスレッドモータ１０を駆動して行う。
【００５０】
すなわち、外部メモリ２０に書き換え自在に保持された前記調整条件の各分割領域α、β、γの検査位置の情報に基づき、調整値検出手段は、ステップＳ４〜Ｓ７の内周処理については、光ピックアップ９を最内周トラックから分割領域αの指定された検査位置までの距離相当の時間だけ外周に向かって半径方向に移動し、光ピックアップ９が分割領域αの指定された検査位置のトラックに位置した状態で行なう。
【００５１】
具体的には、スレッドモータ１０の時間制限の駆動で光ピックアップ９が分割領域αの指定された検査位置のトラックに移動すると、その位置での光ピックアップ９の受光出力に基づく検出部１６、１７及びＲＦ信号処理部１５のＦＥ信号、ＴＥ信号、ＲＦ信号により、ステップＳ４、Ｓ５、Ｓ６のキャリブレーションを実行し、検出部１６、１７のエラー信号オフセットゲイン、ＲＦ信号処理部１５の信号ゲインそれぞれの基準値からのずれを調整値として検出し、ステップＳ７によりキャリブレーション結果として分割領域αの各調整値を外部メモリ２０に書き込んで保持する。
【００５２】
次に、図３のステップＳ８〜Ｓ１２の中周処理に移行し、まず、ステップＳ８により光ピックアップ９を分割領域αの検査位置から分割領域βの検査位置までの距離相当の時間だけ外周に向かって半径方向に移動し、光ピックアップ９を分割領域βの指定された検査位置のトラックに位置させる。
【００５３】
そして、ステップＳ９〜Ｓ１１により、ステップＳ４〜Ｓ６と同様にして、その位置での光ピックアップ９の受光出力に基づく検出部１６、１７及びＲＦ信号処理部１５のＦＥ信号、ＴＥ信号、ＲＦ信号のキャリブレーションを実行し、検出部１６、１７のエラー信号オフセットゲイン、ＲＦ信号処理部１５の信号ゲインそれぞれの基準値からのずれを調整値として検出し、ステップＳ１２によりキャリブレーション結果として分割領域βの各調整値を外部メモリ２０に書き込んで保持する。
【００５４】
次に、図３のステップＳ１３〜Ｓ１７の外周処理に移行し、まず、ステップＳ１３により光ピックアップ９を分割領域βの検査位置から分割領域γの検査位置までの距離相当の時間だけ外周に向かって半径方向に移動し、光ピックアップ９を分割領域γの指定された検査位置のトラックに位置させる。
【００５５】
そして、ステップＳ１４〜Ｓ１６により、ステップＳ４〜Ｓ６、Ｓ９〜Ｓ１１と同様にして、その位置での光ピックアップ９の受光出力に基づく検出部１６、１７及びＲＦ信号処理部１５のＦＥ信号、ＴＥ信号、ＲＦ信号のキャリブレーションを実行し、検出部１６、１７のエラー信号オフセットゲイン、ＲＦ信号処理部１５の信号ゲインそれぞれの基準値からのずれを調整値として検出し、ステップＳ１７によりキャリブレーション結果として分割領域γの各調整値を外部メモリ２０に書き込んで保持する。
【００５６】
このようにして、各分割領域α〜γの各調整値を外部メモリ２０に書き込んで保持すると、再生前の検査処理を終了し、ステップＳ１８により光ディスク２の管理情報を読み込んで光ディスク２の再生を開始する。このとき、調整制御部１９は図３のステップＳ１９のディスク再生の処理に移行し、図４のステップＱ１〜Ｑ１４の再生中の再生処理を実行する。
【００５７】
具体的には、ステップQ1によりあらかじめ各分割領域毎に設定されたディスク再生速度をスレッドモータ１０の再生位置から確認を行い、現在のスレッドモータ１０の再生位置に応じたスピンドルモータ３によって調整される光ディスク２の回転線速度をディスク再生速度として確認する。
【００５８】
そして、ＺＣＬＶ制御のディスク再生速度が×１．２の分割領域αの再生になると、前記領域アクセス検出手段が分割領域αのアクセスを検出し、ステップＱ１からステップＱ２、Ｑ３を介してステップＱ４に移行し、前記調整実行手段が外部メモリ２０に保持されている分割領域αの各調整値を読み出し、ＲＦ信号処理部１５の信号ゲイン、検出部１６、１７のエラー信号オフセットゲインをそれぞれの分割領域αの調整値によって補正し調整する。
【００５９】
更に、ステップＱ５によりこの調整状態で分割領域αを再生する。そして、分割領域αを再生する間はステップＱ５からステップＱ６を通ってステップＱ１に戻り、このステップＱ１からステップＱ２、Ｑ３を通ってステップＱ５にいたるループ処理により、分割領域αの各調整値の調整状態で再生を継続する。
【００６０】
次に、ＺＣＬＶ制御のディスク再生速度が×１．５の分割領域βの再生になると、ステップＱ１の再生速度の確認に基づき、ステップＱ１からステップＱ２、Ｑ７を介してステップＱ８に移行し、ステップＱ３、Ｑ４、Ｑ５と同様のステップＱ８、Ｑ９、Ｑ１０及びステップＱ６により、外部メモリ２０に保持されている分割領域βの各調整値を読み出し、ＲＦ信号処理部１５の信号ゲイン、検出部１６、１７のエラー信号オフセットゲインをそれぞれの分割領域βの調整値によって補正し調整した状態で分割領域βを再生する。
【００６１】
同様に、ＺＣＬＶ制御のディスク再生速度が×２．０の分割領域γの再生になると、ステップＱ１の再生速度の確認に基づき、ステップＱ１からステップＱ２、Ｑ７、Ｑ１１を介してステップＱ１２に移行し、ステップＱ８、Ｑ９、Ｑ１０と同様のステップＱ１２、Ｑ１３、Ｑ１４及びステップＱ６により、外部メモリ２０に保持されている分割領域γの各調整値を読み出し、ＲＦ信号処理部１５の信号ゲイン、検出部１６、１７のエラー信号オフセットゲインをそれぞれの分割領域γの調整値によって補正し調整した状態で分割領域γを再生する。
【００６２】
そして、光ディスク２の再生が終了するとステップＱ６を肯定（ＹＥＳ）で通過して図３のディスク再生のステップＳ１９を終了する。
【００６３】
したがって、従来はディスク読み込み時に光ディスク２の記録面２ａの１個所の状態に基づいて行なわれていた各種制御信号についての制御特性及び信号レベルの自動調整（キャリブレーション）を、光ディスク２の記録面２ａを同心状に分割した複数個所の状態に基づき、各分割領域α、β、γを再生するときにそれぞれの状態に応じて、各分割領域α、β、γ毎に行なうことができる。
【００６４】
そのため、傷や汚れ等の原因により、光ディスク２の記録面２ａの内周部と外周部との記録状態に差がある場合等においても、記録面２ａ全域において良好な再生性能を得ることができる。
【００６５】
すなわち、再生する光ディスク２の記録面２ａの分割領域α、β、γ毎に、それぞれの状態や信号記録の特性等に応じて制御特性及び信号ゲインが自動調整されるため、記録面２ａの一部の状態や信号記録が他の部分より極端に劣化している場合や、光ディスク２の内周部と外周部とで記録面２ａの状態や信号記録に極端な差がある場合等に、記録面２ａや記録信号の状態が良好な部分の再生特性を損なうことがなく、極力最良の制御特性及び信号ゲインで光ディスク２の再生を行うことができる。
【００６６】
ところで、再生する光ディスク２がＣＤ−Ｒ／ＲＷやＤＶＤ−Ｒ／ＲＷ等の記録可能なメディアの場合、その記録面２ａの全域には記録されていないことがある。このような場合、未記録個所では、トラッキングがとれないのでキャリブレーションが実行できないことになる。この場合は、キャリブレーション動作を即座に中止して再生が開始されるまでのディスクローディング時間を長くしないようにする。
【００６７】
次に、本発明のマルチキャリブレーションは、キャリブレーションの実施回数が従来の１個所で１回だけ行なう場合より増えるので、再生性能は向上するが、その分、実際に再生が開始されるまでの時間が従来より若干長くなる。
【００６８】
そして、傷や汚れ等がなく内周から外周まで均一な品質で記録されている光ディスク２に対しては、本発明のマルチキャリブレーションを実施した場合と、従来のキャリブレーションを実施した場合との再生性能の差は少ない。
【００６９】
そのため、再生する光ディスク２に対して無条件に本発明のマルチキャリブレーションを実施してもよいが、傷や汚れ等がなく内周から外周まで均一な品質で記録されていることが明らかな光ディスク２については、ユーザの選択によって、本発明のマルチキャリブレーションをオフして従来と同様の１個所のキャリブレーションを実施できるようにすることが、より好ましい。
【００７０】
そこで、本実施形態においては、例えばディスク装置１の付属の操作リモコン（図示せず）により、ディスク装置１の各種状態のメニュー設定の１つとしてマルチキャリブレーションモードの設定を設け、調整条件の設定により、このモードが選択されて設定されているときにのみ、本発明のマルチキャリブレーションを実施し、それ以外のときには従来と同様のキャリブレーションを実施する。
【００７１】
具体的には、調整条件の設定として、マルチキャリブレーションモードの設定が選択されると、図１の調整制御部１９から表示処理部２１にマルチキャリブレーションモード設定のオンスクリーン画面の表示出力を指令し、表示処理部２１から合成部２２にマルチキャリブレーションモード設定のオンスクリーン画面の信号を出力し、ディスク装置１に接続されたテレビ受信装置等に例えば図５のマルチキャリブレーションモードの設定画面Ｐ１を表示する。
【００７２】
この設定画面Ｐ１は、画面上のカーソル操作等で上、下の三角印ｕ、ｄをクリックすることにより、マルチキャリブレーションモードのオン／オフを選択することができ、その選択状態が表示窓ｗに表示される。
【００７３】
そして、設定画面Ｐ１によってマルチキャリブレーションモードのオン／オフを選択して設定すると、その設定が外部メモリ２０に書き込まれ、調整制御部１９は外部メモリ２０にマルチキャリブレーションモードのオン設定が保持され、マルチキャリブレーションモードが選択されて設定されているときにのみ、光ディスク２の再生ローディングによって図３、図４のマルチキャリブレーションモードの処理を実行し、それ以外のときには光ディスク２の再生ローディングによって従来と同様の１個所のキャリブレーションモードの処理を実行する。
【００７４】
次に、本発明のマルチキャリブレーションにおいて、分割領域の個数や各分割領域のキャリブレーション実施位置は、製造時等に初期設定した固定の個数、位置であってもよいが、調整条件の設定により、ユーザーが任意に選択・調整できるようにすると、操作性等の一層の向上が図られる。
【００７５】
そこで、本実施形態においては、前記メニュー設定の１つとしてのマルチキャリブレーションモードの設定に詳細設定の機能を付加し、単にマルチキャリブレーションモードの設定を選択したときは前記図５の設定画面Ｐ１を表示してモードのオン／オフの設定のみが行なえるようにし、マルチキャリブレーションモードの詳細設定を選択したときは表示処理部２１に保持された図６の第２の設定画面（詳細設定画面）Ｐ２を表示する。
【００７６】
この設定画面Ｐ２は、マルチキャリブレーション実行のオン／オフの選択欄＃ａ、分割領域の個数としてのマルチキャリブレーション実行回数の選択欄＃ｂ、マルチキャリブレーションの実行位置設定の自動／マニュアルの選択欄＃ｃ及びマルチキャリブレーションの実行位置のマニュアル設定欄＃ｄが設けられている。
【００７７】
そして、選択欄＃ａにおいては、画面上のカーソル操作等で上、下の三角印ｕ、ｄをクリックすることにより、マルチキャリブレーションモードのオン／オフを選択することができ、その選択状態が表示窓ｗに表示される。
【００７８】
又、選択欄＃ｂにおいては、三角印ｕ、ｄをクリックすることにより、分割領域の個数を例えば１〜５の範囲でスクロール可変して選択することができ、その選択状態が表示窓ｗに表示される。なお、この分割領域の個数は、通常（自動の場合）、ＺＣＬＶの制御領域数に合わせて設定され、３分割のＺＣＬＶであれば「３」個が選択されて上述の分割領域α、β、γが設定され、４分割のＺＣＬＶであれば「４」個が選択されて４分割領域が設定される。
【００７９】
更に、選択欄＃ｃにおいては、三角印ｕ、ｄをクリックすることにより、キャリブレーション実行位置の自動設定とマニュアル設定とを選択することができる。
【００８０】
そして、キャリブレーション実行位置のマニュアル設定を選択したときは、選択欄＃ｄにおいて、左、右の矢印キーｌ、ｒをクリックしてキャリブレーション実行番号（分割領域の例えば内周側から順の番号）を指定して対象の分割領域を選択し、その番号を表示窓ｗに表示する。更に、三角印ｕ、ｄをクリックすることにより、選択した分割領域での光ピックアップ９の調整のアクセス位置を内周側、外周側にずらして変更自在に指定する。このとき、設定状態表示ｄｉｓｐに各領域のアクセス位置が黒丸印で表示され、その表示位置が、三角印ｕ、ｄのクリック毎にずれて設定状況が分かり易く表示される。
【００８１】
そして、各設定内容（調整条件）が外部メモリ２０に書き込まれて保持され、以降の再生時には、保持された設定内容にしたがって分割領域や調整のアクセス位置が設定される。
【００８２】
以上説明したように、本実施形態の場合、再生する光ディスク２の記録面２ａの分割領域α、β、γ毎に、それぞれの状態や信号記録の特性等に応じて制御特性及び信号ゲインが自動調整されるため、記録面２ａの一部の状態や信号記録が他の部分より極端に劣化している場合や、光ディスク２の内周部と外周部とで記録面２ａの状態や信号記録に極端な差がある場合等に、記録面２ａや記録信号の状態が良好な部分の再生特性を損なうことがなく、極力最良の制御特性及び信号ゲインで光ディスク２の再生を行うことができる。
【００８３】
又、マルチキャリブレーションモードの設定画面Ｐ１、Ｐ２による調整条件の設定に基づき、マルチキャリブレーションの調整が選択されてその調整に設定されているときにのみ、ユーザの選択によって、必要なときにのみ本発明の自動調整を実施することができるだけでなく、各分割領域α、β、γの個数、各分割領域α、β、γにおける光ピックアップ９の調整のアクセス位置を変更自在に設定することができ、操作性、機能性の一層の向上を図ることができる。
【００８４】
そして、本発明は上記した実施形態に限定されるものではなく、その趣旨を逸脱しない範囲において上述したもの以外に種々の変形実施を行なうことが可能であり、例えば、ディスク装置１の各部の構成や処理手順等は実施形態のものに限られるものではない。
【００８５】
又、マルチキャリブレーションの調整の選択や、各分割領域α、β、γの個数及び各分割領域α、β、γにおける光ピックアップ９の調整のアクセス位置の設定の方法も、実施形態のものに限られるものではない。
【００８６】
そして、本発明は、種々の光ディスク２の再生時の制御特性及び信号ゲインの自動調整に適用することができる。
【図面の簡単な説明】
【００８７】
【図１】本発明の一実施形態のディスク装置の概略のブロック図である。
【図２】同上、ディスク装置により再生する光ディスクの記録面の分割領域の説明図である。
【図３】同上、ディスク装置のディスク再生時の動作説明用のフローチャートである。
【図４】同上、ディスク装置のディスク再生処理の詳細なフローチャートである。
【図５】同上、ディスク装置の本発明のマルチキャリブレーションを選択・設定する画面の一例の説明図である。
【図６】同上、ディスク装置の本発明のマルチキャリブレーションを選択・設定する画面の他の例の説明図である。
【符号の説明】
【００８８】
１    ディスク装置
２    光ディスク
２ａ    記録面
５    サーボ制御部
９    光ピックアップ
１４    制御処理部
２０    外部メモリ
【図１】
2008004183.tif 000003
【図２】
2008004183.tif 000004
【図３】
2008004183.tif 000005
【図４】
2008004183.tif 000006
【図５】
2008004183.tif 000007
【図６】
2008004183.tif 000008